(57)【要約】【課題】            複数の食品を少量ずつ個別に包装でき、小分け販売ができ、トップフィルムを有する連結食品容器に使用して衛生効果を高めることができ、トップフィルムを剥離した後には食品の短期保存用容器として再使用が可能な連結食品容器を提供する。【解決手段】        複数の食品収容部１が連結部２を介して一体成形された容器本体Ａと、該容器本体Ａの複数の食品収容部１の外側にそれぞれ嵌合するように連結部３を介して一体成形された外嵌合蓋Ｂからなり、さらに前記連結部２、３には切り離し部５、６を形成する。【選択図】          図１
0003208448.tif 000002
【実用新案登録請求の範囲】
【請求項１】
複数の食品収容部が連結部を介して一体成型された容器本体と、前記容器本体の複数の食品収容部の外側にそれぞれ嵌合するように連結部を介して一体成型された外嵌合蓋と、からなることを特徴とする外嵌合蓋を有する連結食品容器。
【請求項２】
前記容器本体及び外嵌合蓋のそれぞれの連結部に容易切り離し部を形成したことを特徴とする請求項１に記載の外嵌合蓋を有する連結食品容器。
【請求項３】
前記外嵌合蓋は内部の四隅にそれぞれの容器本体に係止し及び分離可能な係止部を有することを特徴とする請求項１又は２に記載の外嵌合蓋を有する連結食品容器。
【請求項４】
前記食品収容部の開口部にそれぞれトップフィルムを設けたことを特徴とする請求項１、２又は３に記載の外嵌合蓋を有する連結食品容器。
【考案の詳細な説明】
【技術分野】
【０００１】
本考案は、外嵌合蓋を有する連結食品容器に関する。
【背景技術】
【０００２】
従来、納豆または豆腐を少量ずつ個別に包装することができる一体型の食品容器として、上部開口を有する食品充填部が、その上部開口周縁の平板部を介して複数個連なる食品容器であって、複数の食品充填部を連ねる平板部の端縁は下方折曲片部を有し、平板部は各食品充填部の切り離し部を具備し、かつ、平板部表面及び両側の下方折曲片部は、トップシール部材の接着面であることを特徴とする食品容器が提案されている（特許文献１）。
【０００３】
前記連結食品容器は、納豆または豆腐を衛生的かつ効率的に商品化し、流通し、販売することができ、しかも消費者の便宜を図ることができるとしている。
【先行技術文献】
【特許文献】
【０００４】
【特許文献１】実開平１０−２１１９２３号公報
【考案の概要】
【考案が解決しようとする課題】
【０００５】
前記連結食品容器は、複数の食品を少量ずつ個別に包装でき、小分け販売ができ、流通過程の取り扱いが容易などのメリットを有する。しかし、流通過程においてトップフィルムの汚れあるいは破損が生じるなどの問題があった。また、トップフィルムを剥離して収容された食品を取り出した後は食品容器として再利用することが衛生上困難で廃棄されるものであった。
【０００６】
本考案は、トップフィルムを有する連結食品容器に使用可能で衛生効果を高め、充填食品の賞味期限を延長することができ、トップフィルムを剥離した後には食品の短期保存用容器として再利用が可能な外嵌合蓋を有する連結食品容器（以下、単に「連結食品容器」という。）を提供することを目的とする。また、衛生上問題が生じない食品の場合にはトップフィルム無しの状態で食品容器として利用できる連結食品容器を提供することを目的とする。
【課題を解決するための手段】
【０００７】
前述した目的を達成するために、本考案の連結食品容器は、複数の食品収容部が連結部を介して一体成形された容器本体と、該容器本体の複数の食品収容部の外側にそれぞれ嵌合するように連結部を介して一体成形された外嵌合蓋と、からなることを特徴とする（請求項１）。
【０００８】
この構成により、複数の食品を少量ずつ個別に包装でき流通過程の取り扱いが容易である。
【０００９】
本考案の実施の一形態は、前記容器本体及び外嵌合蓋のそれぞれの連結部に切り離し部を形成したことを特徴とする（請求項２）。
【００１０】
この構成により、必要に応じて各食品収容部と外嵌合蓋とを一緒に切り離して小分け販売をすることができる。
【００１１】
本考案の実施の一形態は、前記外嵌合蓋の内部の四隅にそれぞれ容器本体に係止し及び分離可能な係止部を設けたことを特徴とする（請求項３）。
【００１２】
この構成により、容器本体と外嵌合蓋が一体化され、不意に容器本体から外嵌合蓋が外れることを防止できる。
【００１３】
本考案の実施の一形態は、前記容器本体の食品収容部の開口部にそれぞれトップフィルムを設けたことを特徴とする（請求項４）。この構成により、商品流通過程における衛生効果を高め、賞味期限を延長することができ、さらに、トップフィルムを剥離して収容された食品を取り出した後には食品の短期保存用容器として再利用が可能である。
【考案の効果】
【００１４】
本考案の連結食品容器によれば、次のような効果を奏する。
（１）複数の食品を少量ずつ個別に包装できる。
（２）予め切り離し部を設けて置けば小分け販売ができる。
（３）複数の食品を少量ずつ個別に包装でき流通過程の取り扱いが容易である。
（４）外嵌合蓋としたのでトップフィルムを有する連結食品容器に使用が可能であり流通過程の衛生効果を高めることができる。
（５）充填食品の賞味期限を延長することができる。
（６）外嵌合蓋を有するためトップフィルムを剥離した後にも食品の短期保存容器などとして再利用が可能である。
（７）食品の性質上問題が生じない場合にはトップフィルム無しで食品容器として利用できる。
【００１５】
以上、本考案について簡潔に説明した。更に、以下に説明される考案を実施するための最良の形態を添付の図面を参照して詳細に説明する。
【図面の簡単な説明】
【００１６】
【図１】本発明の実施の一形態による連結食品容器の分解斜視図である。
【図２】本発明の実施の一形態による連結食品容器の使用状態図である。
【図３】容器本体と外嵌合蓋の四隅部の係合状態を示す断面図である。
【考案を実施するための形態】
【００１７】
以下、本考案の実施の一形態による連結食品容器を、図面を参照して説明する。
【００１８】
本考案の連結食品容器は、複数の食品収容部１が連結部２を介して一体成形された容器本体Ａと、該容器本体Ａの複数の食品収容部１の外側にそれぞれ嵌合するように連結部３を介して一体成形された外嵌合蓋Ｂとからなる。該外嵌合蓋Ｂは複数の蓋４からなる。
【００１９】
前記容器本体Ａ及び外嵌合蓋Ｂはいずれもプラスチック製であり、外嵌合蓋Ｂは容器本体Ａよりも肉薄のプラスチックで構成され、さらに容器本体Ａに収容された食品を外部から確認できるように透明プラスチックとされる。
【００２０】
さらに、前記容器本体Ａの連結部２に容易切り離し部５及び外嵌合蓋Ｂの連結部３に容易切り離し部６が形成される。また、前記容器本体Ａの食品収容部１は食品取出しを容易にするため開口部に比べて底部を少し窄めて形成している。
【００２１】
前記容器本体Aは、食品収容部１の開口部の周縁にそれぞれ平滑面７が形成され、該平滑面７の外側垂下部の下端に小幅の突出辺８が水平方向に設けられて一体成形されている。
【００２２】
前記外嵌合蓋Ｂは、天井部９が前記食品収容部１の平滑面７に被さる大きさにされ、天井部９の周縁１０が前記容器本体Ａの小幅の突出辺８の外側に垂下させられて該垂下部の下端に水平方向に突出する小幅の突出辺１１が形成されて一体成形されている。
【００２３】
さらに、前記外嵌合蓋Ｂの内部の四隅にはそれぞれ内側に突出する係止部１３が一体成形される。該係止部１３は図面では外側凹部として強調して表している。
【００２４】
前記係止部１３は容器本体Ａに外嵌合蓋Ｂを被せた時に前記係止部１３が容器本体Ａの食品収容部１に形成された突出辺８を通り越して係止して容器本体Ａと外嵌合蓋Ｂを一体にする機能を有する。
【００２５】
なお、外嵌合蓋Ｂを開く際には該外嵌合蓋Ｂに形成された突出辺１１に指を掛けて容器本体Ａから容易に分離することができる。前記容器本体Ａの突出辺８は四隅部にのみ形成してもよい。
【００２６】
なお、トップフィルム１２は、前記容器本体Ａのそれぞれの食品収容部１の開口部の平滑面７に溶着される。
【産業上の利用可能性】
【００２７】
本考案の連結食品容器は、複数の食品を少量ずつ個別に包装でき、小分け販売ができ、流通過程の取り扱いが容易であるほか、外嵌合蓋としたのでトップフィルムを有する連結食品容器に使用が可能であり流通過程の衛生効果を高めることができ、トップフィルムを剥離した後にも食品の短期保存容器などとして再利用が可能であり産業上の利用可能性は大きいものがある。
【符号の説明】
【００２８】
Ａ  容器本体
Ｂ  外嵌合蓋
１  食品収容部
２、３  連結部
４  蓋
５、６  切り離し部
１３  係止部
【図１】
0003208448.tif 000003
【図２】
0003208448.tif 000004
【図３】
0003208448.tif 000005